(57)【要約】【課題】椅子等の取付対象物への取付に際して、汎用性の高い取着手段を有するクッション及びクッションカバーを提供する。【解決手段】クッション１はクッションカバー１００とクッション体１０６から構成される。各乳１１０はクッションカバー１００の相対する各縁部１０３、１０４の長手方向中央近傍に設け、所要の間隔を開けて各々２ヶ所、計４ヶ所に設ける。乳１１０は平たい木綿製の紐状体を略長円形になるように丸め、両端部に設けた固着部１１２、１１３を縁部１０３、１０４の厚さ方向中央近傍に設けた縫着部に縫い込んで固着され、紐状体に囲まれた孔は取着孔１１１を形成する。クッションカバー縁部１０５には長手方向に開口部を設け、周縁にファスナー１０１を設ける。カバー１００に装飾部１０２を設け美観向上を図っている。クッション体１０６はクッションカバー１００内部に収容される。【選択図】        図１
2004298466.tif 000002
【特許請求の範囲】
【請求項１】
所要箇所に、乳（１１０）が設けてあることを特徴とする、
クッション。
【請求項２】
クッション材（１０６）を出し入れするための開口部と、
開口部に設けてある開閉手段（１０５）と、
カバー（１００）の所要箇所に設けてある乳（１１０）を備えていることを特徴とする、
クッションカバー。
【請求項３】
クッション（１）に設けられた乳（１１０）と取付対象物（３、４、５）を結着あるいは連結する取付手段（２０、２１、２２、２３）を備えていることを特徴とする、
請求項１記載のクッション。
【請求項４】
クッションカバー（１００）に設けられた乳（１１０）と取付対象物（３、４、５）を結着あるいは連結する取付手段（２０、２１、２２、２３）を備えていることを特徴とする、
請求項２記載のクッションカバー。
【発明の詳細な説明】
【０００１】
【発明の属する技術分野】
本発明はクッション及びクッションカバーにかかり、更に詳しくは、乳（「ち」）の付いたクッション及びクッションカバーに関する。
【０００２】
【従来技術】
従来、図７に示すように、クッションや座布団（以下「クッション等」という）に紐や面ファスナーを備えたものがある。
このようなクッション等は、椅子の背もたれや肘掛けを支持するパイプ等の支柱に紐や面ファスナーを使用して結着等して固定していた。
なお、上記従来技術に係るクッションは一般的に店頭で見受けられるが、先行技術文献を発見できなかったため、先行技術文献に代えて、本欄及び図７に記載したものを従来技術として説明する。
【０００３】
【発明が解決しようとする課題】
しかし、上記従来のクッションの固定手段には以下の課題があった。
即ち、紐付きのクッションの場合、紐によって椅子の背もたれに固定するのであるが、取付対象の取着場所に対応させるためには、紐は一定の長さが必要となる。そのため、紐の長さが短い場合や紐の取付位置が合わない場合は、椅子等に紐を結着等して固定ができないことがあった。
【０００４】
また、紐を長く設けた場合は、固定はできても、紐の不使用時に引っかかる等して邪魔になる場合もあった。
【０００５】
また、商店等でクッションを選択する際には、機能性と同様にデザイン性が重視されるが、気に入った柄・大きさ等であっても、紐の長さが取着対象に合わなければ購入を諦めざるを得ない場合もあった。
なお、面ファスナー付きのクッションにおいても、上記問題点は同じであった。
【０００６】
（発明の目的）
そこで本発明の目的は、椅子等の取付対象物への取付に際して、汎用性の高い取着手段を有するクッション及びクッションカバーを提供することにある。
【０００７】
【課題を解決するための手段】
上記目的を達成するために講じた本発明の手段は次のとおりである。
第１の発明にあっては、
所要箇所に、乳が設けてあることを特徴とする、
クッションである。
【０００８】
第２の発明にあっては、
クッション材を出し入れするための開口部と、
開口部に設けてある開閉手段と、
カバーの所要箇所に設けてある乳を備えていることを特徴とする、
クッションカバーである。
【０００９】
第３の発明にあっては、
クッションに設けられた乳と取付対象物を結着あるいは連結する取付手段を備えていることを特徴とする、
第１の発明に係るクッションである。
【００１０】
第４の発明にあっては、
クッションカバーに設けられた乳と取付対象物を結着あるいは連結する取付手段を備えていることを特徴とする、
第２の発明に係るクッションカバーである。
【００１１】
乳は一般的には竿、綱または紐等を通すために旗や幟等に付けられた小さな輪をいうが、これに限定するものではなく、例えばＯ字状、Ｕ字状、Ｖ字状等に形成された連結部分あるいは取着部分でもよいし、例えば合成樹脂等の保形性を有する素材で形成される場合は三角形、四角形、多角形、長円形等に形成された連結部分あるいは取着部分であってもよい。
乳の素材としては、クッションを対象物に取り付ける際に必要な強度を有するものが好ましいが、特に限定しない。素材は柔軟性を有するものが好ましいが、特に限定しない。本発明における実施の形態では布製を用いたが、特に限定するものではなく、例えば、合成樹脂、皮革、金属、木、竹、セラミック等であってもよい。
また、乳の大きさも特に限定するものではなく、必要に応じて適宜設定してもよい。
【００１２】
本発明において、乳を設ける所要箇所としては、例えば四角形の座布団である場合は、一辺あるいは相対する二辺、または四辺に設けてもよい。
また、隣り合う角部あるいは各角部に設けてもよい。
【００１３】
本発明にいう取付手段としては、紐状物、索条体が使用されるほか、他の手段、例えば、フック体、面ファスナー、カラビナ（岩登り用具であって、ハーケンとザイルとを連絡するための金属製の輪をいう）等を使用してもよい。
【００１４】
本発明において、クッション材としては、綿が使用されるほか、羊毛、羽毛、発泡体、不織布、空気マットレス、バネ、液体又はゲル状物、粒状物あるいはこれら材料を組み合わせたもの等を使用してもよい。
【００１５】
本発明における実施の形態では、クッションカバーは、その素材として木綿の布製、具体的には久留米絣を使用しているが、これに限定するものではなく、例えば綿布、絹布、麻等の天然繊維を織った布、レーヨン、ポリエチレン等の化学繊維製の布、皮革、糸状の合成樹脂を編んだ布であってもよい。
【００１６】
本発明において、クッションカバーの開閉手段としてファスナーが使用されるが、これに限定されるものではなく、例えば、スナップ、ボタン、ホック等であってもよい。
【００１７】
（作用・効果）
本発明に係るクッションまたはクッションカバーは、クッション等に設けた乳と取付対象物を取付手段によって取り付けるようになっている。従って、取付対象物の形態に合った取付手段、例えば紐状物やフック等を任意に選択して利用できるので、より確実で無理のない取り付けが可能になる。
取付手段は、クッションを取付対象物に取り付ける際に、乳に後付けすることができるので、必要に応じて乳から取り外すことも可能である。
従って、クッションを取付対象物に固定しないで使用する際には、取付手段を乳から外しておくことができ、従来のように長い紐が設けてあるものと相違して、使用の際に邪魔に成らず、引っ掛かったりしにくいため、使いやすい。
【００１８】
【発明の実施の形態】
本発明の実施の形態を図面に基づき更に詳細に説明する。
図１は本発明の一実施の形態に係るクッションの一部を切り欠いた斜視図、
図２は乳の部分を拡大した説明図である。
【００１９】
図１を参照してクッション１の構造を説明する。
クッション１は、クッションカバー１００とクッション体１０６から構成される。
【００２０】
クッションカバー１００には、乳１１０が設けられている。
乳１１０は、相対する縁部１０３、１０４に設けられており、各縁部１０３、１０４の長手方向中央近傍に、所要の間隔を開けてそれぞれ２ヶ所、計４ヶ所に設けられている。
図２を参照して、更に乳について説明する。
各乳１１０は、平たい木綿製の紐状体を略長円形になるように丸めて、両端部に設けられた固着部１１２、１１３を、縁部１０３、１０４の厚さ方向中央近傍に設けられた縫着部に、縫い込んで固着されている。
紐状体に囲まれた孔は、取着孔１１１を形成する
【００２１】
クッションカバー１００の縁部１０５には、長手方向に開口部が設けられており、開口部周縁には開閉のためのファスナー１０１が設けられている。
クッションカバー１００の開口部と反対側縁部及び縁部１０３に接する角部には、三角形の装飾部１０２が設けられており、美観の向上を図っている。
クッション体１０６はウレタンフォームで形成されており、上記開口部からクッションカバー１００内部に収容されている。
（作  用）
【００２２】
図３は本発明に係るクッション１を事務用椅子３に取り付けた第１の使用例を示す説明図である。
まず、背もたれ３１にクッション１を取り付ける方法を説明する。
所要の長さを有する取付紐２０の一端を、縁部１０３に設けてある一方の乳１１０に結着する。
次に図３に示すように、クッション１を背もたれ３１の正面部に当てる。取付紐２０をクッション１の上部から背部に回し掛け、取付紐２０の他端を下部に位置する乳１１０に結着する。残る一方についても同様に取り付ける。
なお、クッション１が左右にずれるのを防止するために、支柱３２を挟んで紐を結着するのが好ましい。
【００２３】
次に、座部３３にクッション１を取り付ける方法を説明する。
所要の長さを有する取付紐２１の一端を、一方の乳１１０に結着する。
次に図３に示すように、クッション１を座部３３に載置する。取付紐２１を支柱３２の背部に回し掛け、取付紐２１の他端を、他方の乳１１０に結着する。これにより、座部のクッション１は座部３３から外れないよう固定される。
【００２４】
図４は本発明に係るクッション１ａを椅子４に取り付けた第２の使用例を示す説明図である。なお、本使用例では、乳１１０が一辺のみに設けられているクッション１ａを使用している。なお、クッション１ａに係る他の部分の構造はクッション１と同じである。
椅子４にクッション１を取り付ける方法を説明する。
所要の長さを有する取付紐２２の一端を、乳１１０に結着する。
次に図４に示すように、クッション１を座部４２に載置する。取付紐２２を支柱４１に周回するよう回し掛け、取付紐２２の他端を上記と同じ乳１１０に結着する。反対側の支柱４１にも同様の方法により結着する。
これにより、クッション１は座部４２から外れないよう固定される。
【００２５】
図５は本発明に係るクッション１を自動車用シート５に取り付けた第３の使用例を示す説明図である。
まず、３つのクッション１を連結する。図５に示すように、上部に位置するものと中間に位置するもの、中間に位置するものと下部に位置するものを連結する。
連結方法としては、乳１１０同士を、所要の長さを有する取付紐２３によって結着する。なお、乳１１０同士は、カラビナ、Ｓ字フック等の他の連結手段を用いて連結してもよい。
【００２６】
次に、連結したクッション１を自動車用シート５に取り付ける方法を説明する。
ヘッドレスト５３を外し、図５に示す上部に位置するクッション１の連接に使用していない方の乳１１０に係る取着孔１１１に、ヘッドレスト支柱５４をそれぞれ挿通させて、ヘッドレスト５３を自動車用シート５に取り付ける。
あとは、連接したクッション１を自動車用シート５に沿うよう載置する。
上部及び中間に位置するクッション１は背もたれ５１に当接し、下部に位置するクッション１は座部５２に当接する。これにより、運転者の背中及び臀部をクッション１に当接することができ、運転中の疲れが軽減される。
【００２７】
図６は本発明に係るクッション１、１ｂ、１ｃ、１ｄを室内の壁に取り付けた第４の使用例を示す説明図である。
なお、クッション１ｂ、１ｃはクッション１より大きく形成されており、クッション１ｄはクッション１より小さく形成されており、各々はほぼ相似形であるため、各クッションの詳細な説明は省略する。
【００２８】
室内の壁面にＬ字状のフック等を設け（図面では省略する）、該フック等を１、１ｂ、１ｃ、１ｄ（以下「クッション１等」という）に係る乳１１０にそれぞれ挿通させて、クッション１等を壁面に掛けることができる。これにより、クッション１等をタペストリーとして使用することができる。
なお、本使用例に係るクッション１等に係るクッションカバー１００及び装飾部１０２の生地は久留米絣であるため、装飾効果が高いインテリアとなる。
また、図面は省略するが、四辺に乳を設けたクッションの場合、上下左右に複数のクッションを連結して、大きなタペストリーとして使用することもできる。
更に、当該クッション１等を販売する店舗においても、前述の場合と同様に、店舗内の壁にクッション等を飾ることができ、その結果、場所を取らずに商品を展示することができ、あわせて店内の装飾としても利用できる。
【００２９】
なお、乳の付いたクッションカバー１００は独立した商品として取引可能であるため、クッションカバーとして別に販売してもよい。当該クッションカバーの購入者は、従来から所有するクッションに被せて使用することにより、従来から所有するクッションを利用しつつも、前述のように多様な使用方法を有するクッションにすることができる。また従来のクッションをそのまま使用するので、古いクッションを捨てずにすみ、ゴミの排出を抑えることができる。
【００３０】
本発明にかかるクッション１等では、一辺に設けた乳の数は二ヶ所であるが、特に限定するものではなく、所要数、例えば、一あるいは三ヶ所以上に乳を設けたものであってもよい。
【００３１】
また本発明では、クッションの形状は正方形であるが、特に限定するものではなく、例えば、三角形、長方形その他の多角形、円形、長円形等であってもよい。上記他の形状の場合、乳の位置は縁部中央近傍に限られず、椅子等への固定に好適な箇所、例えば、角部等に形成してもよい。
【００３２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００３３】
【発明の効果】
本発明は上記構成を備え、次の効果を有する。
（１）本発明に係るクッションまたはクッションカバーは、クッション等に設けた乳と取付対象物を取付手段によって取り付けるようになっている。従って、取付対象物の形態に合った取付手段、例えば紐状物やフック等を任意に選択して利用できるので、より確実で無理のない取り付けが可能になる。
（２）取付手段は、クッションを取付対象物に取り付ける際に、乳に後付けすることができるので、必要に応じて乳から取り外すことも可能である。
従って、クッションを取付対象物に固定しないで使用する際には、取付手段を乳から外しておくことができ、従来のように長い紐が設けてあるものと相違して、使用の際に邪魔に成らず、引っ掛かったりしにくいため、使いやすい。
【図面の簡単な説明】
【図１】本発明に係るクッションの一部を切り欠いた斜視図。
【図２】乳の部分を拡大した説明図。
【図３】本発明に係るクッションを事務用椅子に取り付けた第１の使用例を示す説明図。
【図４】本発明に係るクッションを椅子に取り付けた第２の使用例を示す説明図。
【図５】本発明に係るクッションを自動車用シートに取り付けた第３の使用例を示す説明図。
【図６】本発明に係るクッションを室内の壁に取り付けた第４の使用例を示す説明図。
【図７】従来の紐付きクッションを示す斜視図。
【符号の説明】
１      クッション
１ａ    クッション
１ｂ    クッション
１ｃ    クッション
１ｄ    クッション
１００  クッションカバー
１０１  ファスナー
１０２  装飾部
１０３  縁部
１０４  縁部
１０５  縁部
１０６  クッション体
１１０  乳
１１１  取着孔
１１２  固着部
１１３  固着部
２０  取着紐
２１  取着紐
２２  取着紐
２３  取着紐
２４  取着紐
３    事務用椅子
３１  背もたれ
３２  支柱
３３  座部
４    椅子
４１  支柱
４２  座部
５    自動車用シート
５１  背もたれ
５２  座部
５３  ヘッドレスト
５４  ヘッドレスト支柱
Ａ    紐付きクッション
【図１】
2004298466.tif 000003
【図２】
2004298466.tif 000004
【図３】
2004298466.tif 000005
【図４】
2004298466.tif 000006
【図５】
2004298466.tif 000007
【図６】
2004298466.tif 000008
【図７】
2004298466.tif 000009